(57)【要約】      （修正有）【課題】組み立てハウスにおいて、パイプの連結強度を向上する。【解決手段】土台パイプ４と、土台パイプ４の角部に立設する角部柱パイプ５と、隣接する角部柱パイプ５に横架する梁パイプ６と、内側に向けて前記梁パイプ６に連結する屋根材支持用パイプ７と、土台パイプ４と角部柱パイプ５と梁パイプ６に囲まれる箇所を覆うように設けられる囲い板２と、屋根材支持用パイプ７によって支持される屋根材３などを連結金具１０，２６により強固に連結できる。【選択図】図１
0003144233.tif 000002
【実用新案登録請求の範囲】
【請求項１】
土台パイプと、該土台パイプの角部に立設する角部柱パイプと、隣接する前記角部柱パイプに横架する梁パイプと、内側に向けて前記梁パイプに連結する屋根材支持用パイプと、前記土台パイプと前記角部柱パイプと前記梁パイプに囲まれる箇所を覆うように設けられる囲い板と、前記屋根材支持用パイプによって支持される屋根材と、前記土台パイプ、前記角部柱パイプ、前記梁パイプ、前記屋根材支持用パイプのいずれかを連結金具を介して連結したことを特徴とする組み立てハウス。
【請求項２】
前記梁パイプの上部に該梁パイプと平行な梁上部パイプを設けると共に、前記梁上部パイプに前記屋根材を固定し、前記梁パイプと前記梁上部パイプを第一のパイプ間連結金具により連結し、該第一のパイプ間連結金具は、上下一対の上部架設材と下部架設部材とを備え、前記上部架設材の一方に前記梁パイプの周面上部を嵌合する第一の嵌合部を設けると共に、前記上部架設材の他方に前記梁上部パイプの周面上部を嵌合する第二の嵌合部を設け、前記下部架設材の一方に前記梁パイプの周面下部を嵌合する第三の嵌合部を設けると共に、前記下部架設材の他方に前記梁上部パイプの周面下部を嵌合する第四の嵌合部を設け、前記上部架設材の上部中間部と下部架設部材の下部中間部を連結する第一の連結手段を設けたことを特徴とする請求項１記載の組み立てハウス。
【請求項３】
前記角部柱パイプの室外側を嵌合する第五の嵌合部と、前記角部柱パイプの室内側を嵌合する第六の嵌合部と、これら第五の嵌合部と第六の嵌合部とを一体化する第二の連結手段と、前記第五の嵌合部と一体に設けられると共に、前記囲い板の室内側に沿って設けられる前記囲い板の当接受け部と、前記当接受け部と前記囲い板との間に介在する固定具とを備えたことを特徴とする請求項１記載の組み立てハウス。
【請求項４】
前記囲い板が波型の凹凸が並設しており、該凹凸に前記当接受け部が嵌合することを特徴とする請求項３記載の組み立てハウス。
【請求項５】
交差方向にある一対の前記梁上部パイプの角部に前記屋根材支持用パイプの一端が対向するように設けられると共に、これら一対の前記梁上部パイプと前記屋根材支持用パイプの一端を第二のパイプ間連結金具によって連結し、
前記第二のパイプ間連結金具は交差方向にある一方の前記梁上部パイプの周面上部と前記他方の梁上部パイプの周面上部と前記屋根材支持用パイプの一端の周面上部とを上方から覆う第七の嵌合部を有する第一の上板と、前記梁上部パイプの周面下部と他方の前記梁上部パイプの周面下部と前記屋根材支持用パイプの一端の周面下部とを下方から覆う第八の嵌合部を有する第一の下板と、これら前記第一の上板と第一の下板とを連結する第一の上板・下板連結手段とを備えたことを特徴とする請求項１記載の組み立てハウス。
【請求項６】
複数設けられた前記屋根材支持用パイプは放射方向に配置されており、これら前記屋根材支持用パイプは前記放射方向の中心に設けられた第三のパイプ間連結金具によって連結し、
前記第三のパイプ間連結金具は交差方向にある一方の前記屋根材支持用パイプの周面上部と他方の前記屋根材支持用パイプとを上方から覆う第九の嵌合部を有する第二の上板と、前記梁上部パイプの周面下部と他方の前記梁上部パイプの周面下部と前記屋根材支持用パイプの一端の周面下部とを下方から覆う第十の嵌合部を有する第二の下板と、これら前記第二の上板と前記第二の下板とを連結する第二の上板・下板連結手段とを備えたことを特徴とする請求項１記載の組み立てハウス。
【考案の詳細な説明】
【技術分野】
【０００１】
本考案は、パイプを骨組みとした組み立てハウスに関するものである。
【背景技術】
【０００２】
従来、この種のものとしてパイプハウス骨組みにおいて、結着具を使用して結合させることで骨組みを作り、その骨組み表面に合成樹脂製のフイルムを展張して構成するものや、一方のパイプの隆起状突部を他方のパイプの嵌合溝の縦溝端部まで嵌挿後、横方向に回わして横溝に移らせ、隆起状突部が凹状係止部に嵌合係止させるもの等が知られている（例えば、特許文献１）。
【特許文献１】実開平６−６７７２７号公報
【考案の開示】
【考案が解決しようとする課題】
【０００３】
しかし、従来技術においては、結着具や嵌合係止による結合では連結強度が低く、ビニールハウスのような簡易型ハウスでは耐久度があるものの、パイプが金属製であり、周囲が合成樹脂製の断面平板或いは断面波板のような比較的堅牢なハウスの場合にはパイプの連結強度が不足する問題があった。
【０００４】
解決しようとする問題点は、金属製パイプによって骨組みが形成されるような組み立てハウスにおいて、パイプの連結強度を向上する点である。
【課題を解決するための手段】
【０００５】
請求項１の考案は、土台パイプと、該土台パイプの角部に立設する角部柱パイプと、隣接する前記角部柱パイプに横架する梁パイプと、内側に向けて前記梁パイプに連結する屋根材支持用パイプと、前記土台パイプと前記角部柱パイプと前記梁パイプに囲まれる箇所を覆うように設けられる囲い板と、前記屋根材支持用パイプによって支持される屋根材と、前記土台パイプ、前記角部柱パイプ、前記梁パイプ、前記屋根材支持用パイプのいずれかを外嵌部を備えた連結金具を介して連結したことを特徴とする組み立てハウスである。
【０００６】
請求項２の考案は、前記梁パイプの上部に該梁パイプと平行な梁上部パイプを設けると共に、前記梁上部パイプに前記屋根材を固定し、前記梁パイプと前記梁上部パイプを第一のパイプ間連結金具により連結し、該第一のパイプ間連結金具は、上下一対の上部架設材と下部架設部材とを備え、前記上部架設材の一方に前記梁パイプの周面上部を嵌合する第一の嵌合部を設けると共に、前記上部架設材の他方に前記梁上部パイプの周面上部を嵌合する第二の嵌合部を設け、前記下部架設材の一方に前記梁パイプの周面下部を嵌合する第三の嵌合部を設けると共に、前記下部架設材の他方に前記梁上部パイプの周面下部を嵌合する第四の嵌合部を設け、前記上部架設材の上部中間部と下部架設部材の下部中間部を連結する第一の連結手段を設けたことを特徴とする請求項１記載の組み立てハウスである。
【０００７】
請求項３の考案は、前記角部柱パイプの室外側を嵌合する第五の嵌合部と、前記角部柱パイプの室内側を嵌合する第六の嵌合部と、これら第五の嵌合部と第六の嵌合部とを一体化する第二の連結手段と、前記第五の嵌合部と一体に設けられると共に、前記囲い板の室内側に沿って設けられる前記囲い板の当接受け部と、前記当接受け部と前記囲い板との間に介在する固定具とを備えたことを特徴とする請求項１記載の組み立てハウスである。
【０００８】
請求項４の考案は、前記囲い板が波型の凹凸が並設しており、該凹凸に前記当接受け部が嵌合することを特徴とする請求項３記載の組み立てハウスである。
【０００９】
請求項５の考案は、交差方向にある一対の前記梁上部パイプの角部に前記屋根材支持用パイプの一端が対向するように設けられると共に、これら一対の前記梁上部パイプと前記屋根材支持用パイプの一端を第二のパイプ間連結金具によって連結し、
前記第二のパイプ間連結金具は交差方向にある一方の前記梁上部パイプの周面上部と前記他方の梁上部パイプの周面上部と前記屋根材支持用パイプの一端の周面上部とを上方から覆う第七の嵌合部を有する第一の上板と、前記梁上部パイプの周面下部と他方の前記梁上部パイプの周面下部と前記屋根材支持用パイプの一端の周面下部とを下方から覆う第八の嵌合部を有する第一の下板と、これら前記第一の上板と第一の下板とを連結する第一の上板・下板連結手段とを備えたことを特徴とする請求項１記載の組み立てハウスである。
【００１０】
請求項６の考案は、複数設けられた前記屋根材支持用パイプは放射方向に配置されており、これら前記屋根材支持用パイプは前記放射方向の中心に設けられた第三のパイプ間連結金具によって連結し、
前記第三のパイプ間連結金具は交差方向にある一方の前記屋根材支持用パイプの周面上部と他方の前記屋根材支持用パイプとを上方から覆う第九の嵌合部を有する第二の上板と、前記梁上部パイプの周面下部と他方の前記梁上部パイプの周面下部と前記屋根材支持用パイプの一端の周面下部とを下方から覆う第十の嵌合部を有する第二の下板と、これら前記第二の上板と前記第二の下板とを連結する第二の上板・下板連結手段とを備えたことを特徴とする請求項１記載の組み立てハウスである。
【考案の効果】
【００１１】
請求項１の考案によれば、連結金具を介して作業用や倉庫用或いは住居用のハウスを組み立てることができる。
【００１２】
請求項２の考案によれば、嵌合作用を備えた第一のパイプ間連結金具を介して梁パイプと梁上部パイプを確実に連結することができる。
【００１３】
請求項３の考案によれば、固定具によって角部柱パイプ側に囲い板を容易に固定することができる。
【００１４】
請求項４の考案によれば、囲い板の凹凸に沿って当接受け部を確実に取り付けできる。
【００１５】
請求項５の考案によれば、嵌合作用を備えた第二のパイプ間連結金具を介して梁上部パイプ、屋根材支持用パイプを確実に固定することができる。
【００１６】
請求項６の考案によれば、嵌合作用を備えた第三のパイプ間連結金具を介して屋根材支持用パイプを確実に固定することができる。
【考案を実施するための最良の形態】
【００１７】
本考案における好適な実施の形態について、添付図１〜１１を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１８】
図は実施例１を示しており、組み立てハウスは、金属パイプを組み合わせた骨組み１と、骨組み１の周囲を覆う側板である合成樹脂製の囲い板２と、骨組み１の上方を覆う屋根材３とを備える。
【００１９】
骨組み１は、平面を矩形に配置した土台を形成する土台パイプ４と、土台パイプ４の角部に立設する角部柱パイプ５と、隣接する角部柱パイプ５の上部間を横架する梁パイプ６と、梁パイプ６に連結されて内側に設けられると共に後述する室内の中心から放射状に配置される屋根材支持用パイプ７とを備える。また、土台パイプ４の長手方向の途中と梁パイプ６の長手方向の途中との間には後述する中間支持パイプが連結されていると共に、梁パイプ６の外側には梁上部パイプ８が、梁パイプ６に沿って設けられている。
【００２０】
そして、土台パイプ４と角部柱パイプ５と梁パイプ６に囲まれた箇所を覆うように囲い板２が設けられると共に、骨組み１の上方には合成樹脂製シート等の耐水シートからなる屋根材３が設けられている。尚、９は設置面に置かれて角部柱パイプ５の下端が当接するコンクリートブロックによる基礎ブロックである。
【００２１】
次に、梁パイプ６と梁上部パイプ８とを連結する第一のパイプ間連結金具10について説明する。第一のパイプ間連結金具10は、上下一対の上部架設材11と下部架設材12とを備える。上部架設材11と下部架設材12はそれぞれ細長な金属製板材によって形成されるものであり、上部架設材11の一方に梁パイプ６の周面上部を嵌合する下方を開口した第一の嵌合部13を設けると共に、上部架設材11の他方に下方を開口した梁上部パイプ８の周面上部を嵌合する第二の嵌合部14を設ける。さらに、下部架設材12の一方に梁パイプ６の周面下部を嵌合する上方を開口した第三の嵌合部15を設けると共に、下部架設材12の他方に梁上部パイプ８の周面下部を嵌合する上方を開口した第四の嵌合部16を設ける。そして、前記上部架設材11の長手方向中間部と下部架設材12の長手方向中間部を連結する第一の連結手段17を、両者間を貫通固定するボルト・ナットにより形成する。尚、17Ａは上部架設材11と下部架設材12の端部間を固定するボルト・ナットである。
【００２２】
したがって、梁パイプ６と梁上部パイプ８とを上部架設材11と下部架設材12とで嵌合して両者を第一の連結手段17、さらにはボルト・ナット17Ａにより連結することで、梁パイプ６の上方に梁パイプ６に沿って梁上部パイプ８を固定することができる。
【００２３】
次に囲い板２の固定金具18について説明する。固定金具18は、角部柱パイプ５や中間支持パイプ19の室外側を嵌合する内側を開口した第五の嵌合部20と、角部柱パイプ５や中間支持パイプ19の室内側を嵌合する外側を開口した第六の嵌合部21と、これら第五の嵌合部20と第六の嵌合部21とを一体化する両者間を貫通固定するボルト・ナットにより形成された第二の連結手段22と、第五の嵌合部20と一体に設けられると共に、囲い板２の室内側に沿って横向に設けられる囲い板２の当接受け部23と、当接受け部23と囲い板２との間に介在する固定用ビスにより形成する固定具24とを備えている。実施例では囲い板２の平断面が連続する波型の凹凸を有するものであるので、当接受け部23もその当接側は波型に沿わせるように少なくとも室外側を波型の凹部、凸部25を繰り返して形成している。尚、第五の嵌合部20と横向に設けられる当接受け部23との間には、固定手段23Ａたるブラケットが介在している。
【００２４】
したがって、角部柱パイプ５や中間支持パイプ19に固定金具18を固定した状態で、当接受け部23に囲い板２をあてがうと共に、固定具24により囲い板２を当接受け部23に固定することができる。
【００２５】
次に、直交する一対の梁上部パイプ８を連結すると共に、これら一対の梁上部パイプ８の内角側の角部に屋根材支持用パイプ７の外側端が連結されるための第二のパイプ間連結金具26について説明する。これは直交方向にある一方の梁上部パイプ８の周面上部と前記他方の梁上部パイプ８の周面上部と屋根材支持用パイプ７の一端７Ａの周面上部とを上方から覆うため下方を開口した第七の嵌合部27を設けた第一の上板28と、梁上部パイプ８の周面下部と他方の梁上部パイプ８の周面下部と屋根材支持用パイプ７の一端７Ａの周面下部とを下方から覆うため上方を開口した第八の嵌合部29を設けた第一の下板30と、これら第一の上板28と第一の下板30とを連結する両者間を貫通固定するボルト・ナットにより形成される第一の上板・下板連結手段31とを備えている。尚、第一の上板28は図６において第一の下板30を上下逆にした形態を有している。
【００２６】
したがって、ハウスの骨組み１における屋根側の角部において、一対の梁上部パイプ８と屋根材支持用パイプ７を上下一対の上板28と下板30とで挟んで第一の上板・下板連結手段31を介して固定する。
【００２７】
次に、室内の中央部の上方から四方に放射状に設けられる屋根材支持用パイプ７の先端を固定する第三のパイプ間連結金具32について説明する。第三のパイプ間連結金具32は四方向に交差方向にある屋根材支持用パイプ７の中心38に設けられるものであって、屋根材支持用パイプ７の周面上部を上方から覆うように下方を開口した第九の嵌合部33を有する第二の上板34と、屋根材支持用パイプ７の周面下部を下方から上方を開口した覆う第十の嵌合部35を有する第二の下板36と、これら前記第二の上板34と第二の下板36とを連結する第二の上板・下板連結手段37とを備えたものである。尚、図１０に示すように第二の上板34は第二の下板36を上下逆にした形態を有している。
【００２８】
したがって、屋根材支持用パイプ７の中心38に屋根材支持用パイプ７の上下を挟むように第二の上板34と第二の下板36を設けると共に、これら両者を第二の上板・下板連結手段37によって固定したものである。
【００２９】
次に前記構成についてその作用を説明する。設置箇所に基礎ブロック９上に設置した後に、土台パイプ４の端相互と角部柱パイプ５の下端を、また角部柱パイプ５の上端相互に梁パイプ６の端を第四のパイプ間連結金具40によって連結する。次に土台パイプ４の途中と梁パイプ６の途中との間に中間支持パイプ19を設ける。この中間支持パイプ19はその上下端を第五のパイプ間連結金具41によって連結する。
【００３０】
さらに、梁パイプ６の上部に梁上部パイプ８を取り付ける。この梁上部パイプ８の取り付けは、第一の嵌合部13を梁パイプ６の周面上部に嵌合すると共に、第三の嵌合部15を梁パイプ６の周面下部に嵌合し、同時に第一の嵌合部13を梁パイプ６の周面上部に嵌合すると共に、第二の嵌合部14を梁上部パイプ８の周面上部に嵌合する。そして、上部架設材11の上部中間部と下部架設材12の下部中間部を第一の連結手段17により連結することで、上部架設材11と下部架設材12とで梁パイプ６、梁上部パイプ８が挟まれた状態で固定される。
【００３１】
そして、直交する梁上部パイプ８の端は屋根材支持用パイプ７の一端７Ａと共に、第二のパイプ間連結金具26によって連結される。この連結は、交差方向にある一対の梁上部パイプ８の周面上部と屋根材支持用パイプ７の一端７Ａの周面上部に第七の嵌合部27を嵌合し、梁上部パイプ８の周面下部と屋根材支持用パイプ７の一端７Ａの周面下部に第八の嵌合部29を嵌合し、そして第一の上板28と第一の下板とを第一の上板・下板連結手段31を介して連結する。これにより、梁上部パイプ８、屋根材支持用パイプ７は、第一の上板28と第一の下板で挟まれて固定されるものである。
【００３２】
さらに、四方に配置された屋根材支持用パイプ７の中心38側では、屋根材支持用パイプ７の中心38側の端の周面上部を第九の嵌合部33により嵌合して第二の上板34を設け、屋根材支持用パイプ７の中心38側の端の周面下部を第十の嵌合部35により嵌合して第二の下板36を設け、そして第二の上板34と第二の下板36とを第二の上板・下板連結手段37により連結することで、屋根材支持用パイプ７の中心38側を第二の上板34と第二の下板36で挟んで固定するものである。
【００３３】
このように、ハウスの骨組み１を設置した後に、土台パイプ４と角部柱パイプ５と梁パイプ６に囲まれる箇所を囲い板２によって覆う。実施例では囲い板２は断面が凹凸が連続して繰り返される波板などと称せられる合成樹脂製の板材であり、この囲い板２は固定具24を介して固定される。この固定具24による取り付けは、角部柱パイプ５の室外側に第五の嵌合部20を嵌合すると共に、角部柱パイプ５の室内側を第六の嵌合部21で嵌合して、これら両者を第二の連結手段22を介して角部柱パイプ５に固定する。そして、第五の嵌合部20と一体に設けられる当接受け部23に囲い板２の室内側を沿わせて設けた後、当接受け部23と囲い板２との間に介在する固定具24によって固定する。
【００３４】
屋根材３は、実施例ではシート状であって、その縁側をロープなどの紐材42で上部架設材11に固定している。
【００３５】
以上のように、前記実施例では請求項１に対応して、土台パイプ４と、土台パイプ４の角部に立設する角部柱パイプ５と、隣接する角部柱パイプ５に横架する梁パイプ６と、内側に向けて前記梁パイプ６に連結する屋根材支持用パイプ７と、土台パイプ４と角部柱パイプ５と梁パイプ６に囲まれる箇所を覆うように設けられる囲い板２と、屋根材支持用パイプ７によって支持される屋根材３と、土台パイプ４、角部柱パイプ５、梁パイプ６、屋根材支持用パイプ７のいずれかを連結金具10，26，32を介して連結したことにより、連結金具10，26，32を介して作業用や倉庫用或いは住居用のハウスを組み立てることができる。
【００３６】
前記実施例では請求項２に対応して、梁パイプ６の上部に梁パイプ６と平行な梁上部パイプ８を設けると共に、梁上部パイプ８に屋根材３を固定し、梁パイプ６と梁上部パイプ８を第一のパイプ間連結金具10により連結し、該第一のパイプ間連結金具10は、上下一対の上部架設材11と下部架設材12とを備え、上部架設材11の一方に前記梁パイプ６の周面上部を嵌合する第一の嵌合部13を設けると共に、上部架設材11の他方に梁上部パイプ８の周面上部を嵌合する第二の嵌合部14を設け、下部架設材12の一方に梁パイプ６の周面下部を嵌合する第三の嵌合部15を設けると共に、下部架設材12の他方に梁上部パイプ８の周面下部を嵌合する第四の嵌合部16を設け、上部架設材11の上部中間部と下部架設材12の下部中間部を連結する第一の連結手段17を設けたことにより、嵌合作用を備えた第一のパイプ間連結金具10を介して梁パイプ６と梁上部パイプ８を確実に固定することができる。
【００３７】
前記実施例では請求項３に対応して、角部柱パイプ５の室外側を嵌合する第五の嵌合部20と、角部柱パイプ５の室内側を嵌合する第六の嵌合部21と、これら第五の嵌合部20と第六の嵌合部21とを一体化する第二の連結手段22と、第五の嵌合部20と一体に設けられると共に、囲い板２の室内側に沿って設けられる囲い板２の当接受け部23と、当接受け部23と囲い板２との間に介在する固定具24とを備えたことにより、角部柱パイプ５側に囲い板２を容易に固定することができると共に、角部柱パイプ５側に固定した当接受け部23によって囲い板２を強固に固定することができる。
【００３８】
前記実施例では請求項４に対応して、囲い板２が波型の凹凸が並設しており、該凹凸に当接受け部23の凹部、凸部25が嵌合することにより、強度が比較的大きい囲い板２であっても、この囲い板２の凹凸に沿って当接受け部23を確実に設けることができる。
【００３９】
前記実施例では請求項５に対応して、交差方向にある一対の梁上部パイプ８の角部に屋根材支持用パイプ７の一端７Ａが対向するように設けられると共に、これら一対の梁上部パイプ８と前記屋根材支持用パイプ７の一端７Ａを第二のパイプ間連結金具26によって連結し、第二のパイプ間連結金具26は交差方向にある一方の梁上部パイプ８の周面上部と他方の梁上部パイプ８の周面上部と屋根材支持用パイプ７の一端７Ａの周面上部とを上方から覆う第七の嵌合部27を有する第一の上板28と、梁上部パイプ８の周面下部と他方の梁上部パイプ８の周面下部と屋根材支持用パイプ７の一端７Ａの周面下部とを下方から覆う第八の嵌合部29を有する第一の下板30と、これら第一の上板28と第一の下板30とを連結する第一の上板・下板連結手段31とを備えたことにより、嵌合作用を備えた第二のパイプ間連結金具26を介して梁上部パイプ８、屋根材支持用パイプ７を確実に固定することができる。
【００４０】
前記実施例では請求項６に対応して、複数設けられた屋根材支持用パイプ７は放射方向に配置されており、これら屋根材支持用パイプ７は放射方向の中心38に設けられた第三のパイプ間連結金具32によって連結し、第三のパイプ間連結金具32は交差方向にある一方の屋根材支持用パイプ７の周面上部と他方の屋根材支持用パイプ７とを上方から覆う第九の嵌合部33を有する第二の上板34と、梁上部パイプ８の周面下部と他方の梁上部パイプ８の周面下部と屋根材支持用パイプ７の一端７Ａの周面下部とを下方から覆う第十の嵌合部35を有する第二の下板36と、これら第二の上板34と第二の下板36とを連結する第二の上板・下板連結手段37とを備えたことにより、嵌合作用を備えた第三のパイプ間連結金具32を介して屋根材支持用パイプ７を確実に固定することができる。
【実施例２】
【００４１】
図１２は実施例２を示しており、この実施例は囲い板２´が波型形状ではなく、平らな平板の場合を示しており、この実施例２では前記実施例１と同一部分には同一符号を付し、その詳細な説明を省略する。実施例２においては、固定金具18´は、角部柱パイプ５や中間支持パイプの室外側を嵌合する内側を開口した第五の嵌合部20と、角部柱パイプ５や中間支持パイプ19の室内側を嵌合する外側を開口した第六の嵌合部21と、これら第五の嵌合部20と第六の嵌合部21とを一体化する両者間を貫通固定するボルト・ナットにより形成された第二の連結手段22と、第五の嵌合部20と一体に設けられると共に、囲い板２の室内側に沿って横向に設けられる囲い板２´の当接受け部23と、当接受け部23と囲い板２´との間に介在する固定用ビスにより形成する固定具24とを備えている。実施例では囲い板２´の平断面は平板状であって、当接受け部23´もその当接側は囲い板２´に沿わせるように平に形成している。
【００４２】
したがって、角部柱パイプ５や中間支持パイプ19に固定金具18´を固定した状態で、当接受け部23´に平板状の囲い板２´をあてがうと共に、固定具24により囲い板２を当接受け部23に固定することができる。
【産業上の利用可能性】
【００４３】
以上のように本考案にかかる組み立てハウスは、各種の用途に適用できる。
【図面の簡単な説明】
【００４４】
【図１】本考案の第１実施例を示す全体斜視図である。
【図２】同室内の斜視図である。
【図３】同梁上部パイプまわりを下方から見た状態の斜視図である。
【図４】同梁上部パイプまわりを横方向から見た状態の斜視図である。
【図５】同囲い板まわりを上方から見た状態の斜視図ある。
【図６】同第二のパイプ間連結金具まわりの斜視図である。
【図７】同囲い板の固定まわりを室外側から見た状態の斜視図である。
【図８】同囲い板の固定まわりを室内側から見た状態の斜視図である。
【図９】同中間パイプまわりの斜視図である。
【図１０】同第三のパイプ間連結金具まわりの斜視図である。
【図１１】同第二のパイプ間連結金具まわりの断面図である。
【図１２】本考案の第２実施例を示す斜視図である。
【符号の説明】
【００４５】
２  ２´  囲い板
３  屋根材
４  土台パイプ
５  角部柱パイプ
６  梁パイプ
７  屋根材支持用パイプ
７Ａ  一端
８  梁上部パイプ
10  第一のパイプ間連結金具
11  上部架設材
12  下部架設材
13  第一の嵌合部
14  第二の嵌合部
15  第三の嵌合部
16  第四の嵌合部
17  第一の連結手段
18  18´  固定金具
20  第五の嵌合部
21  第六の嵌合部
22  第二の連結手段
23  当接受け部
24  固定具
25  凹部、凸部
26  第二のパイプ間連結金具
27  第七の嵌合部
28  第一の上板
29  第八の嵌合部
30  第一の下板
31  第一の上板・下板連結手段
32  第三のパイプ間連結金具
33  第九の嵌合部
34  第二の上板
35  第十の嵌合部
36  第二の下板
37  第二の上板・下板連結手段
38  中心
【図１】
0003144233.tif 000003
【図２】
0003144233.tif 000004
【図３】
0003144233.tif 000005
【図４】
0003144233.tif 000006
【図５】
0003144233.tif 000007
【図６】
0003144233.tif 000008
【図７】
0003144233.tif 000009
【図８】
0003144233.tif 000010
【図９】
0003144233.tif 000011
【図１０】
0003144233.tif 000012
【図１１】
0003144233.tif 000013
【図１２】
0003144233.tif 000014